(57)【特許請求の範囲】
【請求項１】
版胴軸と嵌合する内径部を有し、外周面に凸版を貼り付けて印刷を行う一体構成の版胴において、
中空にすると共に、内周側に版胴軸に嵌合する内径部を有する円板状のリブを軸方向に多数設けて鋳造により製造し、
上記リブのコーナー部の半径をリブの間隔の略１／２にし、各リブ間を軸方向にアーチ状にしたことを特徴とする版胴。
【請求項２】
版胴軸と嵌合する内径部を有し、外周面に凸版を貼り付けて印刷を行う一体構成の版胴において、
中空にすると共に、内周側に版胴軸に嵌合する内径部を有する円板状のリブを軸方向に多数設けて鋳造により製造し、
上記版胴を、
手前側と奥側のフレームに設けた軸受部材に支承された版胴軸に回転方向に係合し、かつ軸方向に抜き差し可能に嵌合し、
手前側の軸受部材を手前側へ取り外した状態で、この軸受部材が嵌合する手前側のフレームの軸受穴より抜き出し可能にし、
手前側の軸受部材を取り外した状態の版胴軸の手前側端部に、版胴軸の版胴との嵌合部と同径にした抜き取り案内棒を同心状にして係脱自在に連結可能にし、
手前側の軸受部材の手前側端部に設けたフランジ部の、このフランジ部をフレーム側にボルトにて固着するために設けたボルト穴を、軸受部材の軸心を中心とする円弧状の長穴にすると共に、円弧方向に一端部を上記ボルトの締め付け頭部が挿通する大きさの大径部としたことを特徴とする版胴装置。
【発明の詳細な説明】
【技術分野】
【０００１】
本発明は、輪転印刷機において、印刷サイズの変更等に応じて交換可能にした版胴及びこれを用いた版胴装置に関するものである。
【背景技術】
【０００２】
この種の輪転印刷機の版胴は、輪転印刷機の手前側と奥側のフレームに軸受部材にて両端部を支承された版胴軸に抜き差し可能に固着されており、これの交換時には、手前側の軸受部材を手前側のフレームから取り外し、この軸受部材を取り外した後のフレームの軸受部材取り付け穴を通して、版胴軸から版胴を抜き出すようにしている。
【０００３】
また、従来のこの種の版胴にあっては、これの剛性を得るために版胴軸に挿入する穴以外は中実になっていた（特許文献１参照）。
【先行技術文献】
【特許文献】
【０００４】
【特許文献１】特開２００４−７４５２６号公報
【発明の概要】
【発明が解決しようとする課題】
【０００５】
上記した従来の版胴は、版胴軸に挿入する穴以外が中実になっていたため重量が大きく、版胴としての剛性は維持されるものの、サイズが大きくなるほど人の手による着脱に困難をきたし、作業場の安全性の問題も生じてくる。
【０００６】
また従来の版胴装置にあっては、軸受部材を取り外した後のフレームの軸受穴より版胴を抜き出す際に、抜き出しはじめの状態では版胴軸を案内にしてスムーズに抜き出せるが、版胴軸に対して抜き出し終わりの状態では、上記版胴軸との嵌合部が少なくなることにより、版胴が版胴軸に対してこじれが生じやすくなり、版胴の奥側の穴の表面を傷めてしまう問題があった。
【０００７】
さらに上記した従来の版胴装置において、版胴軸の手前側端部を支持する軸受部材はフレームに対してボルト結合されていて、軸受部材を取り外す際にはこのボルトをフレームから完全に抜き取ってから軸受部材をフレームから外すようにしている。このため上記軸受部材を取り外す際には、これを固着している所定の長さを有する複数本のボルトをいちいちフレームから抜き取らなければならず作業性が悪かった。
【０００８】
本発明は上記のことにかんがみなされたもので、十分な剛性を保持した上で軽量化を図ることができる版胴を提供すると共に、この版胴の交換作業を版胴の内径部の内面を傷つけることなくスムーズに行うことができ、さらに版胴軸の手前側の端部を支承する手前側の軸受部材の着脱作業を容易にして、この軸受部材を外してこの軸受部材が嵌合していたフレームの穴を通しての版胴の交換作業の容易化を図ることができるようにした版胴装置を提供することを目的とするものである。
【課題を解決するための手段】
【０００９】
上記目的を達成するために、本発明の請求項１に係る発明は、版胴軸と嵌合する内径部を有し、外周面に凸版を貼り付けて印刷を行う一体構成の版胴において、
中空にすると共に、内周側に版胴軸に嵌合する内径部を有する円板状のリブを軸方向に多数設けて鋳造により製造し、
上記リブのコーナー部の半径をリブの間隔の略１／２にし、各リブ間を軸方向にアーチ状にした構成になっている。
【００１０】
請求項２に係る版胴装置は、版胴軸と嵌合する内径部を有し、外周面に凸版を貼り付けて印刷を行う一体構成の版胴において、
中空にすると共に、内周側に版胴軸に嵌合する内径部を有する円板状のリブを軸方向に多数設けて鋳造により製造し、
上記版胴を、
手前側と奥側のフレームに設けた軸受部材に支承された版胴軸に回転方向に係合し、かつ軸方向に抜き差し可能に嵌合し、
手前側の軸受部材を手前側へ取り外した状態で、この軸受部材が嵌合する手前側のフレームの軸受穴より抜き出し可能にし、
手前側の軸受部材を取り外した状態の版胴軸の手前側端部に、版胴軸の版胴との嵌合部と同径にした抜き取り案内棒を同心状にして係脱自在に連結可能にし、
手前側の軸受部材の手前側端部に設けたフランジ部の、このフランジ部をフレーム側にボルトにて固着するために設けたボルト穴を、軸受部材の軸心を中心とする円弧状の長穴にすると共に、円弧方向に一端部を上記ボルトの締め付け頭部が挿通する大きさの大径部とした構成になっている。
【発明の効果】
【００１２】
上記請求項１に係る発明の版胴によれば、版胴を中空にしたことにより軽量化を図ることができ、版胴の交換作業を容易に行うことができる。そしてこの版胴は上記したように中空にはなっているが、これの軸方向に多数の円板状のリブを設けたことにより、十分の剛性を保持することができる。
【００１３】
請求項２に係る版胴装置によれば、版胴を版胴軸から抜く際に、この版胴軸の手前側端部に案内棒を連結することにより、上記版胴はこの案内棒を案内にして版胴軸に対してこじれが発生することなくスムーズに抜き出すことができると共に、穴の表面に傷をつけることなく抜き出すことができる。
また、版胴の交換に際して手前側の軸受部材を手前側のフレームから取り外す場合に、これをフレームに固着しているボルトをフレームから抜き切るまでゆるめる必要がなく、これをフレームに残したまま手前側の軸受部材をフレームから取り外すことができて、この軸受部材の着脱作業が容易になって版胴の交換作業の容易化を図ることができる。
【図面の簡単な説明】
【００１５】
【図１】本発明に係る版胴及び版胴装置の一例を示す断面図である。
【図２】手前側の軸受部材の取り付け状態を示す正面図である。
【図３】版胴の抜き出し作業を示す説明図である。
【発明を実施するための形態】
【００１６】
本発明の実施の形態を図面に基づいて説明する。
【００１７】
図１において１は手前側と奥側のフレーム２ａ，２ｂに回転自在に支承された版胴軸、３は上記両フレーム２ａ，２ｂ間において版胴軸１に回転方向に係合して支持される版胴であり、この版胴３が版胴軸１に対して手前側のフレーム２ａの外側へ抜け出し可能になっている。
【００１８】
版胴軸１の両端部は中間部に対して小径になっていて、これの奥側端部が軸受部材５を介して奥側のフレーム２ｂに支承されており、この軸受部材５より突出する先端部に原動機側に連結された入力歯車６が固着されている。軸受部材５の両側には、カラー７ａ，７ｂが版胴軸１の小径部に嵌合されていて、この両カラー７ａ，７ｂ及び上記歯車６のボス部にて版胴軸１が軸受部材５に対して軸方向に係止されるようになっている。フレーム２ｂの手前側に嵌合されるカラー７ａは、版胴軸１に対してキー部材８にて回転方向に係合されている。また、このカラー７ａの手前側の端部はフランジ状に大径になっていて、版胴軸１の中間の大径部に嵌合される版胴３の奥側端面が、このカラー７ａに当接して軸方向に位置決めされるようになっている。そしてこのカラー７ａと版胴３の端面とは、キー部材９にて回転方向に係合されている。
上記版胴軸１に対する動力の入力は、これに回転制御可能にした単独モータを結合するようにしてもよい。
【００１９】
版胴軸１の手前側の端部は、手前側の軸受部材１０を介して手前側のフレーム２ａに支承されている。この軸受部材１０は、これの内側に嵌合したニードルベアリング１１を介して版胴軸１の手間側の小径部に対して抜き差し可能になっている。また、この軸受部材１０は、手前側のフレーム２ａに設けた軸受穴１２に対して手前側へ抜き出し可能に嵌合されている。軸受穴１２は版胴３の外径より大径になっている。そしてこの軸受部材１０の手前側端部に設けられたフランジ１０ａを、フレーム２ａの手前側端面に当接し、このフランジ１０ａに設けたボルト穴１３を貫通するボルト１４を、フレーム２ａに設けたねじ穴に螺合することにより、この軸受部材１０がフレーム２ａに固定されるようになっている。この軸受部材１０と版胴３の間には、先端が版胴３の端面に当接する位置決めスリーブ１５が版胴軸１の小径部に抜き差し可能に嵌合されている。
【００２０】
手前側の軸受部材１０のフランジ１０ａに設けた各ボルト穴１３は、軸受部材１０の軸心を中心とする同心円方向で、かつ円方向に同一長さ（θ度）の長穴状になっており、各長穴状部の端部に上記ボルト１４の頭部より大径にした大径部１３ａが設けてあり、ボルト１３をゆるめた状態で、軸受部材１０をボルト穴１３の長穴の長さに相当するθ度にわたって回動して、大径部１３ａをボルト１４の位置に移動することにより、軸受部材１０のフランジ１０ａがボルト１４の頭部より手前側へ抜け出すことができるようになっている。なお、上記ボルト穴１３の大径部１３ａの径は、上記ボルト１４に座金を用いる場合にはこの座金の径より大きくしてある。
【００２１】
版胴軸１の手前側端面には、軸受部材１０のニードルベアリング１１及びこれの手前側に嵌合したシール材１６を軸方向に押さえる押さえ板１７が固着してある。
【００２２】
図３は手前側の軸受部材１０をフレーム２ａから取り外した状態で、版胴軸１から版胴３を抜き取る作業を示すもので、図中１８は抜き取り案内棒であり、この抜き取り案内棒１８は上記版胴３が嵌合する版胴軸１の大径部と同径になっていて、これの先端部が版胴軸１の小径部に、これの端面が小径部と大径部との段部に突き当て嵌合するようになっている。抜き取り案内棒１８は版胴３の長さより長くなっている。
【００２３】
版胴３は所定の長さを有し、これの両端が端壁３ａ，３ｂにて閉じられる中空状になっていて、この端壁３ａ，３ｂの内径が上記版胴軸１の大径部に軸方向に抜き差し可能に嵌合する径となっている。そしてこの版胴３の中空内径部には、軸方向に多数のリブ１９が設けてある。この各リブ１９は、内径が上記端壁３ａ，３ｂと同一にした中空円板状になっており、この各リブ１９の大径部は軸方向に隣接するリブ相互でアーチ状に連接されている。このアーチ状の形状は、中心点を有する円弧状、あるいは楕円形になっている。このアーチ状の円弧の半径は一例として、リブ１０の間隔の略１／２となっている。
【００２４】
版胴３はアルミ合金を用いて鍛造により成形され、外周及び内周を機械加工にて仕上げられるものである。この実施の形態における版胴３のリブ１９の間隔は等間隔で、その間隔は版胴３の全長が、例えば４９５ｍｍに対して４０ｍｍにした。このリブ１９の厚さ及びリブ間のアーチ部頂部の厚さは、鋳造成形で可能な限り薄くなっている。そしてこれの外周面に凸版が貼り付けられるようになっている。
【００２５】
上記構成において、輪転印刷の版胴３を交換する操作を以下に説明する。
【００２６】
図１において、手前側の軸受部材１０側の押さえ板１７を外すと共に、軸受部材１０を固定しているボルト１４をゆるめる。この場合、ボルト１４を抜き取る必要はない。ついで図２において、軸受部材１０をθ度にわたって右方向に回動する。この状態で軸受部材１０のボルト穴１３の大径部１３ａがボルト１４の位置と一致し、軸受部材１０は、このボルト穴１３の大径部１３ａを通してボルト１４から抜き出してフレーム２ａから抜き出す。ついで版胴軸１の小径部から位置決めスリーブ１５を抜き取る。
【００２７】
この状態で手前側のフレーム２ａには版胴３より大径の軸受穴１２が開口したことになり、版胴３はこの軸受穴１２より抜き取り、及び別の交換用の版胴３を版胴軸１に挿入する。交換用の版胴３を挿入後は、位置決めスリーブ１５を挿入後、軸受部材１０をフレーム２ａの軸受穴１２に挿入し、これをθ度にわたって回動し、これのボルト穴１３をボルト１４に一致させてからこれを締め付けることにより交換作業は終了する。
【００２８】
このときにおいて、手前側の軸受部材１０の着脱は、これをフレーム２ａに固着している複数本（４本）のボルト１４を少しゆるめるだけで、フレーム２ａから抜き取ることなく行うことができ、軸受部材１０を着脱しての版胴３の交換を短時間で容易に行うことができる。
【００２９】
また、上記した版胴３の交換作業において、版胴３を軸受穴１２を通して版胴軸１から抜き出すときに、版胴３は版胴軸１の大径部の先端から軸方向に片持ち状態で抜き出されることになるため、版胴３の奥側の嵌合穴にこじれが発生し、スムーズに抜き出すことができなくなると共に、この部分の穴の表面に傷をつけてしまうことがある。
【００３０】
このようなことを防止するために、図３に示すように、抜き取り案内棒１８を版胴軸１の手前側端部に嵌合する。これにより版胴軸１の大径部が手前側のフレーム２ａの手前側（外側）へ延長されたことと同じになり、版胴３は版胴軸１から抜き取り案内棒１８に案内されて、フレームの外側へスムーズに抜き出すことができる。
【００３１】
また、この交換しようとする版胴３は、中空であることにより軽量化を図ることができ、また中空内には軸方向に多数のリブ１９を設けられていることにより、軽量であるにもかかわらず中空の版胴３としての十分な剛性を保持することができる。
【符号の説明】
【００３２】
１…版胴軸、２ａ，２ｂ…フレーム、３…版胴、３ａ，３ｂ…端壁、５，１０…軸受部材、１０ａ…フランジ、６…入力歯車、７ａ，７ｂ…カラー、８，９…キー部材、１１…ニードルベアリング、１２…軸受穴、１３…ボルト穴、１３ａ…大径部、１４…ボルト、１５…位置決めスリーブ、１６…シール部材、１７…押さえ板、１８…抜き取り案内棒、１９…リブ。
【図１】
0005592156.tif 000002
【図２】
0005592156.tif 000003
【図３】
0005592156.tif 000004